(57)【要約】【課題】同一目的地まで複数のメンバーで別々に移動する際、予定外の経由地を設定する場合の調整時間の短縮化、簡素化を図ることを目的とする。【解決手段】移動端末と双方向通信可能に接続され、目的地に対する経路誘導情報を提供する情報提供サーバを備え、情報提供サーバには、予め登録された複数のメンバーから目的地、経路に関する要求情報を収集する収集手段と、収集された各要求情報に基づいて目的地及び経路を調停ルールに従って決定する決定手段と、決定された目的地及び経路を各移動端末に各々提供する提供手段と、経由地追加希望情報を受け付ける受付手段と、受け付けられた経由地追加希望情報に基づく経由地を調停ルールに従って追加設定する経由地追加設定手段とを備える。従って、予め設定された調停ルールに従って経由地が設定されるため、調整時間の短縮化、調整の簡素化を図ることができる。【選択図】  図１
2004163178.tif 000002
【特許請求の範囲】
【請求項１】
移動可能な複数の移動端末と、
該移動端末と双方向通信可能に接続され、設定された目的地に対する経路誘導情報を提供する情報提供サーバとを備えたナビゲーションシステムであって、
上記情報提供サーバには、
上記情報提供サーバに予め登録された複数のメンバーから目的地、経路に関する要求情報を収集する収集手段と、
該収集手段により収集された各要求情報に基づいて目的地及び経路を予め設定された調停ルールに従って決定する決定手段と、
該決定手段により決定された目的地及び経路を上記メンバーの各移動端末にそれぞれ提供する提供手段と、
上記メンバーから経由地に関する経由地追加希望情報を受け付ける受付手段と、
該受付手段において受け付けられた経由地追加希望情報に基づいて現在地から目的地までの間の経路における経由地を予め設定された調停ルールに従って追加設定する経由地追加設定手段とが備えられていることを特徴とするナビゲーションシステム。
【請求項２】
上記各移動端末には、
上記各移動端末間において所定の対話が可能な対話手段が備えられており、
上記情報提供サーバには、
上記受付手段において受け付けられた経由地追加希望情報を上記メンバーの各移動端末に提供する経由地追加希望情報提供手段と、
上記経由地追加希望情報提供手段によって提供された経由地追加希望情報に対する上記メンバーの対話結果に基づいて経由地を追加設定するか否か決定する第２経由地追加設定手段とが備えられていることを特徴とする請求項１記載のナビゲーションシステム。
【請求項３】
上記経由地追加設定手段には、
上記受付手段において受け付けられた経由地追加希望情報に対する上記メンバーの賛否情報を収集し、経由地追加希望情報に対する賛成意見多数の場合、経由地を追加設定する多数決ルールと、
上記メンバーの内予め登録されたリーダーから経由地追加希望情報が受け付けられた場合、受け付けれらたリーダーからの経由地が経由地として追加設定され易いよう経由地を追加設定するリーダー案優先ルールと、
上記受付手段において受け付けられた経由地までの移動に伴う交通費、または経由地における諸費用が予め設定した経由地対応金額以内にある場合、経由地を追加設定する金額優先ルールとの内少なくとも二つのルールが備えられていることを特徴とする請求項１または２に記載のナビゲーションシステム。
【請求項４】
上記経由地追加設定手段は、
上記受付手段において受け付けられた経由地追加希望情報の内容に応じて強制的に経由地を追加設定することが可能に構成されていることを特徴とする請求項１乃至３のいずれか一つに記載のナビゲーションシステム。
【請求項５】
上記経由地追加設定手段は、
上記受付手段において受け付けられた経由地追加希望情報の目的に応じて調停ルール内容が変更可能に構成されていることを特徴とする請求項１乃至４のいずれか一つに記載のナビゲーションシステム。
【請求項６】
上記経由地追加設定手段は、
上記受付手段において受け付けられた経由地追加希望情報の目的の緊急性が高い場合、目的に対応可能な施設を検索し、検索された施設を強制的に経由地として追加設定するよう構成されていることを特徴とする請求項５に記載のナビゲーションシステム。
【請求項７】
上記経由地追加設定手段は、
上記メンバーの内目的地に最も近いメンバーの移動端末を基準に経由地を設定するよう構成されていることを特徴とする請求項１乃至６のいずれか一つに記載のナビゲーションシステム。
【請求項８】
上記経由地追加設定手段は、
上記受付手段において受け付けられた経由地追加希望情報の目的の緊急性が高い場合、経由地追加希望者の移動端末を基準に経由地を設定するよう構成されていることを特徴とする請求項８に記載のナビゲーションシステム。
【請求項９】
移動可能な複数の移動端末に、設定された目的地に対する経路誘導情報を提供する経路誘導情報提供方法であって、
予め登録された複数のメンバーから目的地、経路に関する要求情報を収集する収集ステップと、
収集された各要求情報に基づいて目的地及び経路を予め設定された調停ルールに従って決定する決定ステップと、
決定された目的地及び経路を上記メンバーの各移動端末にそれぞれ提供する提供ステップと、
上記メンバーから経由地に関する経由地追加希望情報を受け付ける受付ステップと、
受け付けられた経由地追加希望情報に基づいて現在地から目的地までの間の経路における経由地を予め設定された調停ルールに従って追加設定する追加設定ステップとを備えることを特徴とする経路誘導情報提供方法。
【請求項１０】
上記受付ステップにおいて受け付けられた経由地追加希望情報を上記メンバーの各移動端末に提供する経由地追加希望情報提供ステップを備え、
上記追加設定ステップは、経由地追加希望情報提供ステップにより提供された経由地追加希望情報に対する上記メンバーの対話結果に基づいて経由地を追加設定するか否か決定することを特徴とする請求項９記載の経路誘導情報提供方法。
【請求項１１】
上記追加設定ステップは、
上記受付ステップにおいて受け付けられた経由地追加希望情報に対する上記メンバーの賛否情報を収集し、経由地追加希望情報に対する賛成意見多数の場合、経由地を追加設定する多数決ルールと、
上記メンバーの内予め登録されたリーダーから経由地追加希望情報が受け付けられた場合、受け付けれらたリーダーからの経由地が経由地として追加設定され易いよう経由地を追加設定するリーダー案優先ルールと、
上記受付機能において受け付けられた経由地までの移動に伴う交通費、または経由地における諸費用が予め設定した経由地対応金額以内にある場合、経由地を追加設定する金額優先ルールとの内少なくとも二つのルールに従って経由地を追加設定するか否か決定することを特徴とする請求項９または１０に記載の経路誘導情報提供方法。
【請求項１２】
上記追加設定ステップは、
上記受付ステップにおいて受け付けられた経由地追加希望情報の内容に応じて強制的に経由地を追加設定することを特徴とする請求項９乃至１１のいずれか一つに記載の経路誘導情報提供方法。
【請求項１３】
上記追加設定ステップは、
上記受付ステップにおいて受け付けられた経由地追加希望情報の目的に応じて調停ルール内容を変更することを特徴とする請求項９乃至１２のいずれか一つに記載の経路誘導情報提供方法。
【請求項１４】
上記追加設定ステップは、
上記受付ステップにおいて受け付けられた経由地設定希望情報の目的の緊急性が高い場合、目的に対応可能な施設を検索し、検索された施設を強制的に経由地として追加設定することを特徴とする請求項９乃至１３のいずれか一つに記載の経路誘導情報提供方法。
【請求項１５】
上記追加設定ステップは、
上記メンバーの内目的地に最も近いメンバーの移動端末を基準に経由地を設定することを特徴とする請求項９乃至１４のいずれか一つに記載の経路誘導情報提供方法。
【請求項１６】
上記追加設定ステップは、
上記受付ステップにおいて受け付けられた経由地追加希望情報の目的の緊急性が高い場合、経由地追加希望者の移動端末を基準に経由地を設定することを特徴とする請求項１５に記載の経路誘導情報提供方法。
【発明の詳細な説明】
【０００１】
【発明の属する技術分野】
本発明は、ナビゲーションシステム及び経路誘導情報提供方法に関するものである。
【０００２】
【従来の技術】
従来より、車両に搭載される誘導装置によって目的地まで車両を誘導する所謂ナビゲーションシステムは知られている。
また、友人等複数のメンバーで同一の目的地まで移動する際、他車の現在位置情報を入手し、自車の誘導装置のディスプレーに自車の現在位置と同時に他車の現在位置を表示させる、所謂車車間通信機能を備えたナビゲーションシステムが知られており、例えば、下記特許文献１に開示されている。
【０００３】
【特許文献１】
特開平１０−１０３９８０号公報
【０００４】
上述の先行技術によれば、他車の現在位置を自車の誘導装置ディスプレー上で確認できるため、車を止めることなく他車と歩調をとりながら同一の目的地まで移動することが可能になる。
また、上述の先行技術によれば、予め設定された任意のメッセージ（例えば、ちょっと待て！、集合しよう！）や、マイクを介して車車間におけるコミュニケーションをとることができるため、目的地までの移動中、予定外の場所での休憩や、予定外の観光等予定外経由地を設定する場合、各メンバー間で調整をとりながら行うことが可能である。
【０００５】
【発明が解決しようとする課題】
しかしながら、上述の先行技術によれば、車車間におけるコミュニケーションはできるものの、常に各メンバーの意見調整が必要になるため、以下のような問題がある。
例えば、走行中に特定メンバーから予定外の休憩要求があった場合、休憩場所を各メンバー間で調整して決めるにしても、メンバーが多い場合、調整に手間取り、適切な休憩ポイントでの休憩を逸してしまう惧れがある。
また、走行中に調整事項が頻繁に発生すると、その都度各メンバーの意見を調整する必要が生じ、その意見調整が煩わしくなる惧れもある。
【０００６】
本発明は、以上のような課題に勘案してなされたもので、その目的は、同一の目的地まで複数のメンバーで別々に移動する移動途中に予定外の経由地を設定する場合、常にメンバー同士の意見を調整して経由地を設定するのではなく、情報提供サーバーに予め登録した調停ルールに従って経由地を設定することによって、調整時間の短縮化や調整の簡素化を図れるナビゲーションシステム及び経路誘導情報提供方法を提供することにある。
【０００７】
【課題を解決するための手段】
前記目的を達成するため、本発明にあってはその解決手法として次のようにしてある。すなわち、本発明の第１の構成において、移動可能な複数の移動端末と、該移動端末と双方向通信可能に接続され、設定された目的地に対する経路誘導情報を提供する情報提供サーバとを備えたナビゲーションシステムであって、
上記情報提供サーバには、
上記情報提供サーバに予め登録された複数のメンバーから目的地、経路に関する要求情報を収集する収集手段と、
該収集手段により収集された各要求情報に基づいて目的地及び経路を予め設定された調停ルールに従って決定する決定手段と、
該決定手段により決定された目的地及び経路を上記メンバーの各移動端末にそれぞれ提供する提供手段と、
上記メンバーから経由地に関する経由地追加希望情報を受け付ける受付手段と、
該受付手段において受け付けられた経由地追加希望情報に基づいて現在地から目的地までの間の経路における経由地を予め設定された調停ルールに従って追加設定する経由地追加設定手段とが備えられるよう構成してある。
本発明の第１の構成によれば、経由地追加希望情報を受け付けた際、予め設定された調停ルールに従って経由地が設定されるため、調整時間の短縮化、調整の簡素化を図ることができる。
ここで、調整ルールは、各メンバー間で予め合意して決定し、情報提供サーバに登録しておけば、各メンバーで異論が生じることなくスムースに経由地設定が行えるものである。
【０００８】
本発明の第２の構成において、上記各移動端末には、
上記各移動端末間において所定の対話が可能な対話手段が備えられており、
上記情報提供サーバには、
上記受付手段において受け付けられた経由地追加希望情報を上記メンバーの各移動端末に提供する経由地追加設定希望提供手段と、
上記経由地追加設定希望提供手段によって提供された経由地追加希望情報に対する上記メンバーの対話結果に基づいて経由地を追加設定するか否か決定する第２経由地追加設定手段とが備えられるよう構成してある。
経由地を設定する際、地図上では目印にはならないような場所（例えば、道路脇の露店等）を経由地として設定するような場合、調停ルールでは必ずしも明確な経由地を設定できず、各メンバーの対話によって経由地を決定する必要が生じるケースがある。
本発明の第２の構成によれば、各メンバーの対話によって経由地を設定することが可能とされているため、調停ルールによる決定が難しい経由地の設定が可能になる。
【０００９】
本発明の第３の構成において、上記経由地追加設定手段には、
上記受付手段において受け付けられた経由地追加希望情報に対する上記メンバーの賛否情報を収集し、経由地追加希望情報に対する賛成意見多数の場合、経由地を追加設定する多数決ルールと、
上記メンバーの内予め登録されたリーダーから経由地追加希望情報が受け付けられた場合、受け付けれらたリーダーからの経由地が経由地として追加設定され易いよう経由地を追加設定するリーダー案優先ルールと、
上記受付機能において受け付けられた経由地までの移動に伴う交通費、または経由地における諸費用が予め設定した経由地対応金額以内にある場合、経由地を追加設定する金額優先ルールとの内少なくとも二つのルールが備えられるよう構成してある。
本発明の第３の構成によれば、多数決ルールと、リーダー案優先ルールと、金額優先ルールとの内少なくとも二つのルールに従って経由地を追加設定することができる。
【００１０】
本発明の第４の構成において、上記経由地追加設定手段は、
上記受付手段において受け付けられた経由地追加希望情報の内容に応じて強制的に経由地を追加設定することが可能に構成されるよう構成してある。
急病等至急最寄りの病院等に移動する必要が生じた場合は、調停ルールに関係なく最寄りの病院等に速やかに移動する必要がある。
本発明の第４の構成によれば、経由地追加希望情報の内容に応じて経由地を強制的に追加設定することが可能に構成されているため、例えば、急病等緊急時等調停ルールに従うことなく速やかに経由地追加設定が行える。
【００１１】
本発明の第５の構成において、上記経由地追加設定手段は、
上記受付手段において受け付けられた経由地追加希望情報の目的に応じて調停ルール内容が変更可能に構成してある。
例えば、経由地追加希望の目的が食事である場合、食事の内容（和食、洋食等）によって食事するか否か決定したい場合があり、食事する内容まで加味して経由地を追加設定するか否か決定したい場合がある。
また、経由地追加希望の目的が観光である場合、観光地を追加するにしても観光地までの距離（手軽に立ち寄れる距離なのか否か）によって決めたい場合、追加観光地までの距離を加味して経由地を追加するか否か決定したい場合がある。また、急病等緊急性が高い目的によって経由地設定希望がなされた場合は、各メンバーの意見に関係なく最寄りの病院等の施設を捜して、その施設まで速やかに移動する必要がある等、経由地追加の目的によって必要な調停ルール内容を変える必要がある。
本発明の第５の構成によれば、経由地追加希望情報の目的に応じて調停ルールが変更されるため、目的に応じた経由地設定が行える。
【００１２】
本発明の第６の構成において、上記経由地追加設定手段は、
上記受付手段において受け付けられた経由地追加希望情報の目的の緊急性が高い場合、目的に対応可能な施設を検索し、検索された施設を強制的に経由地として追加設定するよう構成してある。
本発明の第６の構成によれば、緊急性が高い経由地希望設定がなされた場合、目的に対応可能な施設を検索し、検索された施設が強制的に経由地として追加設定されるよう構成されるため、直ちに経由地が追加設定され、その経由地まで速やかに移動することができる。
【００１３】
本発明の第７の構成において、上記経由地追加設定手段は、
上記メンバーの内目的地に最も近いメンバーの移動端末を基準に経由地を設定するよう構成してある。
本発明の第７の構成によれば、目的地に最も近いメンバー、つまり先頭者の移動端末を基準に経由地が設定されるため、先頭者がＵターンすることのない経由地を設定することができる。
【００１４】
本発明の第８の構成において、上記経由地追加設定手段は、
上記受付手段において受け付けられた経由地追加希望情報の目的の緊急性が高い場合、経由地追加希望者の移動端末を基準に経由地を設定するよう構成するよう構成してある。
経由地設定希望の目的として急病等緊急性が高い場合、先頭者に拘わらず追加経由地設定希望を出している希望者に最も近い場所を経由地として設定する必要がある。
本発明の第８の構成によれば、経由地追加希望情報の目的の緊急性が高い場合、経由地追加希望者を基準として経由地が設定されるため、経由地希望者が病院等の経由地まで移動する時間を短縮することができる。
【００１５】
本発明の第９の構成において、移動可能な複数の移動端末に、設定された目的地に対する経路誘導情報を提供する経路誘導情報提供方法であって、
予め登録された複数のメンバーから目的地、経路に関する要求情報を収集する収集ステップと、
収集された各要求情報に基づいて目的地及び経路を予め設定された調停ルールに従って決定する決定ステップと、
決定された目的地及び経路を上記メンバーの各移動端末にそれぞれ提供する提供ステップと、
上記メンバーから経由地に関する経由地追加希望情報を受け付ける受付ステップと、
受け付けられた経由地追加希望情報に基づいて現在地から目的地までの間の経路における経由地を予め設定された調停ルールに従って追加設定する追加設定ステップとを備えるよう構成してある。
本発明の第９の構成によれば、経由地追加希望情報を受け付けた際、予め設定された調停ルールに従って経由地が設定されるため、調整時間の短縮化、調整の簡素化を図ることができる。
ここで、調整ルールは、各メンバー間で予め合意して決定し、情報提供サーバに登録しておけば、各メンバーで異論が生じることなくスムースに経由地設定が行えるものである。
【００１６】
本発明の第１０の構成において、上記受付ステップにおいて受け付けられた経由地追加希望情報を上記メンバーの各移動端末に提供する経由地追加希望情報提供ステップを備え、
上記追加設定ステップは、経由地追加希望情報提供ステップにより提供された経由地追加希望情報に対する上記メンバーの対話結果に基づいて経由地を追加設定するか否か決定するよう構成してある。
本発明の第１０の構成によれば、各メンバーの対話によって経由地を設定することが可能とされているため、調停ルールによる決定が難しい経由地の設定が可能になる。
【００１７】
本発明の第１１の構成において、上記追加設定ステップは、
上記受付ステップにおいて受け付けられた経由地追加希望情報に対する上記メンバーの賛否情報を収集し、経由地追加希望情報に対する賛成意見多数の場合、経由地を追加設定する多数決ルールと、
上記メンバーの内予め登録されたリーダーから経由地追加希望情報が受け付けられた場合、受け付けれらたリーダーからの経由地が経由地として追加設定され易いよう経由地を追加設定するリーダー案優先ルールと、
上記受付機能において受け付けられた経由地までの移動に伴う交通費、または経由地における諸費用が予め設定した経由地対応金額以内にある場合、経由地を追加設定する金額優先ルールとの内少なくとも二つのルールに従って経由地を追加設定するか否か決定するよう構成してある。
本発明の第１１の構成によれば、多数決ルールと、リーダー案優先ルールと、金額優先ルールとの内少なくとも二つのルールに従って経由地を追加設定することができる。
【００１８】
本発明の第１２の構成において、上記追加設定ステップは、
上記受付ステップにおいて受け付けられた経由地追加希望情報の内容に応じて強制的に経由地を追加設定するよう構成してある。
本発明の第１２の構成によれば、経由地追加希望情報の内容に応じて経由地を強制的に追加設定することが可能に構成されているため、緊急時等調停ルールに従うことなく速やかに経由地追加設定が行える。
【００１９】
本発明の第１３の構成において、上記追加設定ステップは、
上記受付ステップにおいて受け付けられた経由地追加希望情報の目的に応じて調停ルール内容を変更するよう構成してある。
本発明の第１３の構成によれば、経由地追加希望情報の目的に応じて調停ルールが変更されるため、目的に応じた経由地設定が行える。
【００２０】
本発明の第１４の構成において、上記追加設定ステップは、
上記受付ステップにおいて受け付けられた経由地設定希望情報の目的の緊急性が高い場合、目的に対応可能な施設を検索し、検索された施設を強制的に経由地として追加設定するよう構成してある。
本発明の第１４の構成によれば、緊急性が高い経由地希望設定がなされた場合、目的に対応可能な施設を検索し、検索された施設が強制的に経由地として追加設定されるよう構成されるため、直ちに経由地が追加設定され、その経由地まで速やかに移動することができる。
【００２１】
本発明の第１５の構成において、上記追加設定ステップは、
上記メンバーの内目的地に最も近いメンバーの移動端末を基準に経由地を設定するよう構成してある。
本発明の第１５の構成によれば、目的地に最も近いメンバー、つまり先頭を行くメンバーの移動端末を基準に経由地が設定されるため、先頭者がＵターンすることのない経由地を設定することができる。
【００２２】
本発明の第１６の構成において、上記追加設定ステップは、
上記受付ステップにおいて受け付けられた経由地追加希望情報の目的の緊急性が高い場合、経由地追加希望者の移動端末を基準に経由地を設定するよう構成してある。
本発明の第１６の構成によれば、経由地設定希望情報の目的の緊急性が高い場合、経由地追加希望者を基準として経由地が設定されるため、経由地希望者が病院等の経由地まで移動する時間を短縮することができる。
【００２３】
【発明の効果】
本発明によれば、同一の目的地まで複数のメンバーで別々に移動する移動途中に予定外の経由地を設定する場合、予め登録した調停ルールに従って経由地が設定されるため、調整時間の短縮化や調整の簡素化が図れる。
【００２４】
【発明の実施の形態】
以下、本発明の実施形態を図面に基づいて説明する。
尚、本実施形態では、本発明に関わるナビゲーションシステムを自動車に適用した例を示す。
図１は、本発明に関わるナビゲーションシステムの全体構成図である。
図１において、１ａ、１ｂ、及び１ｃは本発明に係わるナビゲーションシステムが適用された自動車である。
尚、本実施形態におけるナビゲーションシステムは、３台の自動車に適用した例を示すが、何台の自動車に適用するかはその場の状況に応じて任意に設定可能である。
自動車１ａ、１ｂ、及び１ｃには、乗員に対して目的までの経路誘導情報を提供し、乗員を目的地まで誘導する誘導装置（いわゆるカーナビゲーション装置）３ａ、３ｂ、及び３ｃ（図２参照）が搭載されている。
誘導装置３ａ、３ｂ及び３ｃは、人工衛星５から発信されるＧＰＳ信号を受信し、自動車１ａ、１ｂ、及び１ｃの現在地を算出する。また、アンテナ６に対して携帯電話７（図２参照）等の無線通信端末を用いて電波を発信し、インターネット９に接続して施設や観光地、イベント等の情報を入手する。
【００２５】
インターネット９には、道路交通情報を提供する交通情報センター１１が保有する情報提供サーバ１１ａ、自動車メーカー等の民間企業が運営し、グルメ、天気予報、レジャー等のコンテンツと呼ばれる情報を提供する情報センター１３の保有する情報提供サーバ１３ａ、家庭やオフィス等に設置されたパソコン１５と接続されている。
更に、インターネット９には、インターネット接続機能を有する携帯電話等の携帯端末１７からもログインすることができる。
交通情報センター１１の情報提供サーバ１１ａには有料道路の料金や工事情報等のデータベース１１ｂが保存されており、情報センター１３の情報提供サーバ１３ａには情報サービス利用者の個人設定条件、道路、施設、施設の利用料、飲食店、ガソリンスタンド等の情報を含むデータベース１３ｂが保存されている。
また、情報提供サーバ１１ａ、１３ａはンターネット９を介して相互につながっており、一般公開されている情報をやり取り可能である。例えば、情報提供サーバ１３ａは、情報提供サーバ１１ａより有料道路の料金情報を入手し、その料金情報をデータベース１３ｂに加えることができる。
また、誘導装置３ａ、３ｂ及び３ｃはインターネット９を介して情報提供サーバ１１ａや、情報提供サーバ１３ｂにログインすることで各種情報をダウンロードすることができる。
【００２６】
情報センター１３の情報提供サーバ１３ａは、誘導装置３ａ、３ｂ、３ｃ、パソコン１５、及び携帯端末１７からログインを受け、誘導装置３ａ、３ｂ、３ｃに対して誘導関連情報を提供する。
更に、情報提供サーバ１３ａは、誘導装置３ａ、３ｂ及び３ｃを介して複数のメンバーから構成されたグループの各メンバーから誘導関連情報を作成するための要求情報を収集し、この収集された要求情報を基に予め設定された調停ルールに基づいて、メンバーの代わりに目的地を設定する機能を有する。この機能については後で詳述する。
【００２７】
次に、誘導装置３ａ、３ｂ、及び３ｃのハードウエア構成について説明する。
図２は、本発明に関わる実施形態としての誘導装置が自動車に実装された自動車システム構成図である。以下、誘導装置３ａ、３ｂ、及び３ｃは同一構成であるため、誘導装置３ａのみ説明し、誘導装置３ｂ及び３ｃについてはその説明を省略する。
【００２８】
図２中、２１は集中制御ユニットであり、走行状態に係わる各種データ（現残燃料、平均燃費、平均車速等）の算出や、以下の各構成を統括的に制御する。尚、走行状態に係わる各種データは、インタ−ネット９を介して情報センタ−１３の情報提供サーバー１３ａに送信可能である。
２３は車載ＬＡＮユニットであり、例えばアンチロックブレーキシステム（ＡＢＳ）や４輪駆動制御等の制御に必要な不図示のセンサ及び駆動部と集中制御ユニット２１との所謂ローカルエリアネットワーク通信を制御する。
２５はＲＡＭカードドライブであり、例えばシート位置、ミラー位置等の運転者に関する情報を記憶したＲＡＭカードのデータ読み込み／書き込み装置である。
２６はデータドライブであり、移動可能なデータ記憶媒体に記憶した各種情報の読み込み／書き込み装置である。
２７は音声ガイド用スピーカであり、ナビゲーションコントローラ４１からの音声情報が集中制御ユニット２１内の音声出力インタフェース（不図示）を介して出力される。
２９はマイクであり、乗員の音声による指示が集中制御ユニット２１内の音声認識インタフェース（不図示）を介してナビゲーションコントローラ４１に入力される。
３１は液晶表示等のディスプレイであり、ナビゲーション画面、各種入力操作用の画面、移動体の状態（車速、空調設定等）が表示され、更に、ディスプレイ３１の前面には、その表示に応じてタッチ操作による入力操作が可能な、静電容量方式や赤外線方式等の入力装置を備える。
３５は操作スイッチであり、集中制御ユニット２１及びナビゲーションコントローラ４１への入力操作が可能とされる。
４１はナビゲーションコントローラであり、ＧＰＳアンテナ３７からの位置情報とＤＶＤ−ＲＯＭチェンジャ４３に搭載されたＤＶＤ−ＲＯＭの地図情報に基づいて、設定された目的地までの適当な経路を検索し、ディスプレイ３１上の表示若しくは音声ガイド用スピーカからの音声出力により誘導を行なう。ＤＶＤ−ＲＯＭチェンジャ４３により読み出されるＤＶＤ−ＲＯＭの地図情報は、以下の説明におけるディスプレイ３１への表示情報の基本情報である。
尚、本実施形態では、誘導装置３ａは、携帯電話７を利用してインターネット９に接続される例を示すが、誘導装置３ａから直接インターネット９に接続するようにしてもよい。
【００２９】
更に、ナビゲーションコントローラ４１に、ＶＩＣＳ対応のＦＭ多重放送を受信するＦＭチューナーと、電波ビーコン信号及びビーコン信号を受信するビーコン信号受信機と接続し、それらにより得られる情報を交通規制情報（所謂、ＶＩＣＳ情報）と解釈してディスプレイ３１に表示し、経路誘導の際経路検索の条件（制約条件）として使用することが望ましい。更に、走行経路周辺の地域情報をデータドライブ２６等から入力し、表示情報に利用してもよい。尚、ＧＰＳによる自車位置の検出方法は公知であるため説明を省略する。
【００３０】
次に、本発明に関わる実施形態のナビゲーションシステムにかかわるソフトウエアの特徴について説明する。図３〜１４は、本発明に関わる実施形態のナビゲーションシステムにおけるディスプレイ３１の表示例である。
【００３１】
図３中、ディスプレイ３１には、現在地４９、及びその近辺の地図５０を示したナビゲーション画面５２が情報表示部５１に表示されていると共に、ディスプレイ３１の右側縁部には、本発明に関わるナビゲーションシステムが有する各種機能を作動させるためのアイコン５３が上下方向に並んで表示されている。
ディスプレイ３１は所謂タッチパネル型のディスプレイであり、乗員が、ディスプレイ３１上のアイコン５３と対応する位置に触れると、触れられたアイコン５３と対応する機能が作動する。
情報センター呼出アイコン５３ａに触れると、誘導装置３ａがインターネット９を介して情報センター１３の情報提供サーバ１３ａに接続されるとともに、情報表示部５１が図４に示す情報選択画面５４に切り替わる。尚、情報選択画面５４における操作については後で詳述する。
【００３２】
空調アイコン５３ｂに触れると、情報表示部５１が空調設定画面（不図示）に切り替わる。空調設定画面では、温度、風量、空調モード等を設定するアイコンが表示され、これらを操作者が触れることにより空調を設定できる。
ＡＶアイコン５３ｃに触れると、情報表示部５１がＡＶ設定画面（不図示）に切り替わる。ＡＶ設定画面では、音量、音源、ラジオの周波数等を設定するアイコンが表示され、これらを操作者が触れることによりＡＶ機器の各種機能を設定できる。
燃料消費状況アイコン５３ｄに触れると、情報表示部５１は燃料消費状況画面（不図示）に切り替わる。燃料消費状況画面では、集中制御ユニット２１にて算出された現残燃料、平均燃費、平均車速、平均燃費と燃料の残量から計算された走行可能距離が表示される。尚、これらの数値の算出方法については公知であるためその詳細な説明を省略する。
交通規制状況アイコン５３ｅに触れると、誘導装置３ａがインターネット９を介して交通情報センター１１の情報提供サーバー１１ａに接続され、現在地近辺の工事、渋滞、事故等の交通規制情報をダウンロードすると共に、情報表示部５１が交通規制状況画面（不図示）に切り替わり、ダウンロードされた交通規制情報が表示される。
ナビゲーションアイコン５３ｆに触れると、情報表示部５１が上述のナビゲーション画面５２に切り替わる。
【００３３】
以下、情報センター呼出アイコン５３ａに触れた場合について、説明する。
上述のとおり、情報センター呼出アイコン５３ａに触れると、誘導装置３ａがインターネット９を介して情報センター１３の情報提供サーバ１３ａに接続されるとともに、情報表示部５１が図４に示す情報選択画面５４に切り替わる。
情報選択画面５４には、天気予報をダウンロードするための天気予報アイコン５５ａ、レストランや喫茶点等の飲食店、並びにイベント会場が記載された地図をダウンロードするための地図アイコン５５ｂ、駐車場、並びに美術館や公民館等の施設を検索するための施設検索アイコン５５ｃ、インターネット９上に公開されているホームページを閲覧したり、電子メールを送受信するためのインターネットアイコン５５ｄ、情報センター１３の情報提供サーバ１３ａに登録されている画像や音楽等のデータ、並びに後述する車車間コミニュケーションの設定結果をダウンロードするためのデータアイコン５５ｅ、自動車１ａ、１ｂ、及び１ｃ間でコミニュケーションをとるための車車間コミニュケーションアイコン５５ｆが表示される。尚、天気予報アイコン５５ａ、地図アイコン５５ｂ、施設検索アイコン５５ｃ、インターネットアイコン５５ｄ、データアイコン５５ｅの各機能に関しては、インターネット接続機能を有する一般的な誘導装置が具備する機能であるため、その詳細な説明を省略する。
【００３４】
以下、車車間コミニュケーションアイコン５５ｆの機能について説明する。
ここでは、自動車１ａ、１ｂ及び１ｃのうち、自動車１ａの乗員が、後述する車車間コミュニケーションのリーダーであるものとして説明する。
【００３５】
自動車１ａの乗員が車車間コミニュケーションアイコン５５ｆに触れると、誘導装置３ａのディスプレイ３１は、情報センター１３が情報サービス利用者に対してそれぞれ付与しているＩＤナンバーの入力が求められるＩＤナンバー入力画面（不図示）に切り替わり、ＩＤナンバーが入力されると図５に示す車車間コミニュケーション画面５６に切り替わる。
この車車間コミュニケーション画面５６は、情報センター１３の情報提供サーバ１３ａ内で構築される自動車１ａ乗員用のホームページであり、車車間コミニュケーションを行なうメンバーの登録及び解除、目的地、経由地、経路、合流地、及び後述する調停ルールの設定を行うことができる。また、この車車間コミニュケーション画面５６にはパソコン１５からもログイン可能であり、例えばドライブ前日に予め家庭で各種設定を行い、ドライブ当日に設定結果を自動車１ａ内で呼び出すようにしてもよい。この場合、設定結果をデータベース１３ａに加えて保存することが望ましい。
【００３６】
まず、車車間コミニュケーションを行なうメンバーの登録について説明する。
メンバーを登録するには、まず車車間コミニュケーション画面５６に表示されている登録／解除アイコン５８に触れ、登録／解除画面（不図示）を呼び出す。登録／解除画面で車車間コミニュケーションを行なうメンバーのＩＤナンバー５９を入力し、登録する。ここでは、登録メンバーの設定者である自動車１ａの乗員Ａのほか、自動車１ｂ及び１ｃの乗員Ｂ及びＣのＩＤナンバー５９ｂ、及び５９ｃを登録する。尚、ここでは乗員ＡのＩＤナンバー５９ａが一番始めに登録されている。この一番始めに登録されたＩＤナンバー５９ａの所有者である乗員Ａが、車車間コミニュケーションのリーダーとして登録される。
登録が完了し、開始アイコン５７ａに触れると、車車間コミニュケーションがスタートし、登録されたメンバーが、インターネット９を介して車車間コミュニケーション画面５６にログインできるようになり、複数の自動車間で車車間コミュニケーションを行なうことができる。また、上述のように車車間コミニュケーションを行なうメンバーを登録することで、登録されていない利用者からの不用なログインを禁止することができる。
【００３７】
次に目的地、経由地（当初から予定している）、経路、及び合流地の設定について説明する。
目的地、経由地、経路、及び合流地の設定は、１台の自動車の乗員のみで目的地、経由地、経路、及び合流地を設定する個人設定モードと、各メンバーの要求情報に基づき目的地、経由地、経路、及び合流地を調停して設定するコミニュケーション設定モードとのいずれかを選択することができる。更に、経由地、経路、及び合流地においては、要求情報をもとに、ナビゲーションシステムが自動提案、設定可能である。
【００３８】
まず、個人設定モードで設定する場合について説明する。
個人設定モードでは、個人設定アイコン６０ａに触れ、目的地入力画面（不図示）を呼出し、目的地の住所を入力する若しくは、複数の選択肢の中から一つを順に選んでいくことにより最終的に目的地を設定する。尚、個人設定モードでの目的地の設定方法は、公知の誘導装置の目的地設定方法と略同一であるため、その詳細な説明を省略する。
目的地の設定後、ディスプレイ３１は車車間コミュニケーション画面５６に戻る。次に個人設定アイコン６０ｂに触れ、経由地等入力画面（不図示）を呼出し、目的地を設定する場合と同様にして経由地、経路、及び合流地を設定する。
【００３９】
次に、コミニュケーション設定モードで設定する場合について説明する。
コミニュケーション設定モードでは、収集された要求情報に基づいて目的地、経由地、経路、及び合流地を調停して設定するための調停ルールを予め設定する必要がある。調停ルールを設定するには、調停ルール設定アイコン６２に触れ、図６に示す調停ルール設定画面６４を呼び出す。調停ルール設定画面６４では、目的地、経由地、経路、及び合流地の設定のそれぞれに対して適用される調停ルールを設定することができる。
【００４０】
次に、調停ルールについて、説明する。
まず、目的地、経由地（当初から予定している）を設定する際に適用される調停ルールは、メンバーより収集された要求情報が互いに同一であるか否かを判定し、同一の要求情報がより多い要求情報に基づいて目的地を決定する多数決ルール、メンバーより収集された要求情報のうち、特定のリーダーとして予め登録されたメンバーから収集された（本実施形態では自動車１ａの乗員）要求情報を優先して目的地を絞り込むリーダー優先ルール、メンバーより収集された要求情報のうち、移動に伴う交通費または目的地における施設利用費が予め設定された理想金額条件に最も適合する要求情報を優先して目的地を絞り込む金額優先ルール、目的地あるいは経由地までの距離が近い要求情報により設定される距離優先ルール、市場の人気が高い要求情報により設定される市場人気ルールの中から選択することができる。ここではリーダー優先ルールを選択するものとする。
尚、上述の金額優先ルールにおいて移動に伴う交通費または目的地における施設利用費を試算し、目的地を設定する例を説明する。
まず、それぞれの誘導装置３ａ，３ｂ，３ｃから収集されたそれぞれの要求情報のみを考慮して仮に目的地をそれぞれ設定し、この仮設定されたそれぞれの目的地までの移動に伴う交通費または目的地における施設利用費を情報センター１３の情報提供サーバ１３ａ内のデータベース１３ｂから入手して試算する。次に、このようにして試算されたそれぞれの移動に伴う交通費または目的地における施設利用料を比較し、最も安くなる目的地を最終的な目的地として設定する。
尚、本実施形態においては、目的地までの交通費、または目的地における施設利用料が最も安くなる目的地が最終的な目的地として設定される例を示したが、５０００円以内等、具体的な金額を設定し、その設定した金額以下になる目的地を最終的な目的地として設定するようにしてもよい。
【００４１】
次に、メンバー合流地を設定する際に適用される調停ルールは、メンバーができるだけ早く合流することを優先するルール、あるいは目的地までの所要時間もしくは走行距離が少なくなることを優先するルールの中から選択することができる。また、サブルールとして、乗員から食事の要求が出されていれば経路中に飲食店を設定するルール、または目的地に到着する時刻が略同一となるように出発時刻を調整するルールの内いずれかのルールを選択することができる。ここでは、早く合流することを優先するルールを選択すると共に、サブルールとして、乗員から食事の要求が出されていれば経路中に飲食店を設定するルールを選択するものとする。
尚、目的地までの所要距離は、情報提供サーバ１３ａのデータベース１３ｂからダウンロードし、所要時間及び到着時刻については、自動車１ａ、１ｂ、１ｃより現在地情報、及び平均速度情報を入手すると共に、データベース１３ｂからダウンロードした目的地までの所要距離と、平均速度情報を基に算出する。
【００４２】
次に、経路を設定する際に適用される調停ルールは、自動車の現残燃料と平均燃費から走行可能距離を計算して自動車の現在地から走行可能距離を算出し、目的地が走行可能距離外に位置している場合には、走行可能距離内で経路中に給油のための経由地としてガソリンスタンド等の給油ポイントを設定するルール、出発時刻から乗員が任意に設定する所定時間毎に、コンビニエンスストア等のトイレを利用可能な施設を経路中に設定するルールの内いずかのルールを選択することができる。ここでは、経路中に経由地としての給油ポイントを設定するルールを選択するものとする。
【００４３】
以下、以上のようにして設定された調停ルールに従った、目的地、経由地（当初から予定している）、経路、合流地の設定方法について説明する。
【００４４】
目的地を設定するためには、まず自動車１ａ、１ｂ、及び１ｃの乗員それぞれが候補目的地を設定する。候補目的地を設定するには、図５に示す車車間コミニュケーション画面５６においてコミニュケーション設定アイコン６６ａに触れ、図７に示す候補目的地設定画面６８を呼び出す。
候補目的地設定画面６８では、まず、目的地のジャンルがメンバー間で事前に決定されているか否かを決定アイコン７０により入力する。ここでいう目的地のジャンルとは、言い換えるとドライブの目的のことである。未決定である場合はメンバー間で別途調整する。決定済である場合は、決定済アイコン７０ａに触れ、ジャンルアイコン７２の中からジャンルを選択する。ここでは遊ぶを選択するものとする。
ジャンルを選択すると、候補目的地設定画面６８に選択したジャンルと対応した小ジャンルアイコン７４が表示される。乗員はこの小ジャンルアイコンの中から希望の小ジャンルを選択する。ここではスポーツを選択するものとする。
小ジャンルが選択されると、候補目的地設定画面６８に、選択された小ジャンルと対応した施設が表示される。ここでは小ジャンルにおいてスポーツを選択したため、スポーツセンターが表示されている。このスポーツセンターを選択すると、次にスポーツセンターで利用可能なスポーツが表示される。ここではテニスを選択するものとする。
以上の操作により、候補目的地の設定が終了する。
【００４５】
候補目的地の設定が終了すると、車車間コミニュケーション画面５６に戻る。
ここで、経由地、経路、合流地を設定しない場合は、終了アイコン５７ｂに触れ、車車間コミニュケーション画面を終了させる。経由地、経路、合流地を設定する場合は、コミニュケーション設定アイコン６６ｂに触れる。
【００４６】
以下、経由地、経路、合流地を設定する場合について説明する。
候補目的地の設定後、車車間コミニュケーション画面５６においてコミニュケーション設定アイコン６６ｂに触れると、候補目的地設定画面６８に戻る。
候補目的地設定画面６８には、候補目的地以外のその他の条件を設定するため、条件設定アイコン７６が表示され、乗員はこの条件設定アイコン７６の中から希望する条件を選択する。ここでは昼食を選択するものとする。
その他の条件が選択されると、その条件と対応したアイコンが表示されるが、本実施形態では昼食を選択したため、レストランＡが表示されている。
そして、レストランＡを選択すると、その他の条件の設定が終了する。ここで選択される条件は、目的地が設定された後、目的地までの経路上に、その条件を満たす経由地、経路、または合流地を自動で提案、設定するために用いられる。以上のように、その他の条件の設定が終了すると、再度、車車間コミニュケーション画面５６に戻り、終了アイコン５７ｂに触れると設定が終了する。
【００４７】
このようにして、自動車１ａ、１ｂ、及び１ｃの各乗員がそれぞれ候補目的地、及びその他の条件を設定すると、ディスプレイ３１は、図８に示す目的地設定画面７８に切り替わる。この画面ではそれぞれが設定した候補目的地が表示されている。
ここでは、それぞれが設定した候補目的地が一致していないため、予め設定された上述の調停ルールに従って目的地が絞り込まれる。
調停ルールは、リーダー優先ルールが選択されているため、ここではリーダーである自動車１ａの乗員が選択した候補目的地が重視される。
ここで、自動車１ａ、１ｂ、及び１ｃの乗員全員が設定された候補目的地を承諾し、承諾アイコン８０ａに触れると、目的地の設定が完了し、決定目的地８３が決定する。承諾しない乗員がおり、一人でも再設定アイコン８０ｂに触れた場合は、上述の候補目的地の設定をやり直す。
調停ルールによらず、乗員間で直接音声により目的地を決定する場合は、音声会話アイコン８０ｃに触れ、インターネット９を介して音声会話を行なう。
【００４８】
目的地設定画面７８において、候補目的地が承諾され、目的地の設定が終了すると、自動車１ａ、１ｂ、１ｃそれぞれから、情報提供サーバ１３ａに対してそれぞれの現在地、現残燃料、平均燃費、平均速度、燃料残量及び平均燃費から算出される走行可能距離等の走行状態に係わる情報が送信される。
ここで情報提供サーバ１３ａは、調停ルール設定画面６４で設定された調停ルールに従って、データベース１３ｂ内のデータを基に、経由地、経路、及び合流地を自動提案、設定する。
経由地に関しては、リーダー優先ルールが選択されているため、候補目的地設定画面６８においてその他の条件として選択された昼食の希望を受け、決定目的地８３までの経路８５上に経由地８４としてレストランＡが設定される。
合流条件に関しては、早く合流することを優先するルールが選択されているため、自動車１ａ、１ｂ、及び１ｃができるだけ早く合流できるように合流地８６ａ、８６ｂを設定する。その際、合流条件のサブルールとして、食事があれば一緒にするルールが選択されているため、レストランＡで全員が食事を取ることができるように合流地８６ａ、８６ｂが設定される。
更に、経路８５の考慮条件として、経路中に経由地としての給油ポイントを設定するルールが選択されているため、まず決定目的地８３が自動車１ａ、１ｂ、１ｃのそれぞれの現在地から走行可能距離の範囲内にあるか否かが判断される。ここでは、決定目的地８３が自動車１ｃの走行距離範囲外にあるものとし、自動車１ｃの現在地から走行可能距離の範囲内の経路８５上に、給油ポイント８８を設定する。
また、情報提供サーバ１３ａは、上述のように設定された決定目的地８３、経由地８４、及び合流地８６ａ、８６ｂへの予定到着時間を、平均速度から算出する。尚、現在地から目的地までの距離は、情報提供サーバ１３ａのデータベース１３ｂに保存されている決定目的地８３の位置と、自動車１ａ、１ｂ、１ｃのそれぞれの現在地から算出される。
【００４９】
以上のようにして設定された決定目的地８３、経由地８４、及び合流地８６ａ、８６ｂは、図９に示す設定結果画面８２として、自動車１ａ、１ｂ、及び１ｃの誘導装置３ａ、３ｂ、３ｃにそれぞれに送信される。
設定結果画面８２には、自動車１ａ、１ｂ、及び１ｃの現在地、決定目的地８３、目的地の予定到着時間、経路８５、合流地８６ａ、８６ｂ、合流地の予定到着時間、経由地８４である昼食を取るレストランＡ、レストラン予定到着時刻、及び給油ポイント８８が表示されている。
誘導装置３ａ、３ｂ及び３ｃは送信されたデータを受け、設定された決定目的地８３、経由地８４、経路８５、合流地８６ａ、８６ｂを改ためて誘導装置３ａ、３ｂ及び３ｃ内に設定し、そのデータに基づいて自動車１ａ、１ｂ、及び１ｃを誘導する。
【００５０】
次に、予定外の経由地（以下、当初から予定している経由地と区別するため、一時経由地と記載する。）の追加設定について、説明する。
一時経由地設定の際適用される調停ルールを設定するには、上述の調停ルールの設定と同様、図５に示す車車間コミュニケーション画面５６の調停ルール設定アイコン６２に触れ、図１０に示す調停ルール設定画面６４’を呼び出し、その調停ルール設定画面５６上において設定する。
一時経由地設定用の調停ルールは、図１０に示すように、三つの調停ルールによって構成される。
調停ルール１は、一時経由地を設定するか否か決定するための調停ルール、調停ルール２は、一時経由地の具体的な場所を決定するための調停ルール、調停ルール３は、一時経由地の具体的な場所を決定する際、基準となるメンバーを決定するルールであり、これらの調停ルールは、一時経由地を追加設定する目的に応じて選択設定されるようになされている。
【００５１】
まず、一時経由地の設定の目的が急病である場合について、説明する。
急病である場合、緊急性が高く、その他のメンバーの意見を確認することなく速やかに最寄りの病院等に移動する必要がある。
従って、調停ルール１については、一律一時経由地追加希望者の意見優先のルールが選択され、調停ルール２についても、最寄りの病院等急病に対応できる施設を検索し、その施設を一時経由地として強制設定するルールが選択される。また、調停ルール３については、緊急性より一時経由地追加希望者を基準とするルールが選択される。
【００５２】
次に、一時経由地の設定の目的がトイレ休憩である場合について、説明する。トイレ休憩である場合についても、比較的緊急性が高く、その他のメンバーの意見を確認することなく比較的速やかに休憩所等に移動することが望まれる。
従って、調停ルール１については、一律一時経由地追加希望者の意見優先のルールが選択される。調停ルール２については、最寄りの休憩所等の施設が検索され、検索された施設で良いか各メンバーからの意見を確認の上、設定するルールが選択される。
例えば、図１３に示すように、各メンバーの誘導装置３ａ、３ｂ、３ｃのナビゲーション画面５２上にトイレ休憩要求及びトイレ休憩場所が提供され、その要求に対する各メンバーからの賛否情報が承諾アイコン９２、変更アイコン９４のいずれかを操作することによって情報センター１３の情報提供サーバ１３ａに返信される。
その結果、全メンバーから承諾が得られれば、提供されたトイレ休憩場所が一時経由地として追加設定される。また、いずれかのメンバーから変更要求があれば、音声会話アイコン９６を操作して具体的な変更場所を対話によって調整する。
また、調停ルール３については、緊急性より一時経由地追加希望者を基準とするルールが選択される。
【００５３】
次に、一時経由地の設定の目的が飲食、休憩、観光である場合について、説明する。
これらの目的については、緊急性が低いことから、各調停ルール１乃至３について、それぞれ設定された調停ルールの中から選択設定することが可能とされる。
まず、調停ルール１については、以下六つの各調停ルールの中から選択設定することが可能とされる。
一時経由地希望者の意見を優先する一時経由地希望者優先ルールと、一時経由地追加希望情報に対する各メンバーの賛否情報を収集し、経由地追加希望情報に対する賛成意見多数の場合、一時経由地を追加設定する多数決ルールと、各メンバーの内予め登録されたリーダーから一時経由地追加希望情報が受け付けられた場合、受け付けれらたリーダーからの経由地が経由地として追加設定され易いよう経由地を追加設定する、例えば、リーダーからの一時経由地追加希望情報をリーダー案優先メッセージとともに各メンバーに提示するとともに、提示されたリーダーからの一時経由地追加希望情報に対する他のメンバーからの賛否情報を収集し、リーダーからの一時経由地追加希望情報に対する賛成意見多数の場合、一時経由地を追加設定するリーダー案優先ルールと、一時経由地までの移動に伴う交通費、または一時経由地における諸費用が予め設定した経由地対応金額以内にある場合、一時経由地を追加設定する金額優先ルールと、現在位置から一時経由地までの距離が予め設定した経由地対応移動距離よりも短い場合、一時経由地を追加設定する距離優先ルールと、一時経由地が予め設定された市場人気が高い場所である場合、一時経由地を追加設定する市場人気ルールとの中から選択設定することが可能とされる。ここでは、リーダー案優先ルールを選択するものとする。
尚、リーダー案優先ルールが選択された場合、先に図８で説明したように、リーダー優先ルールが選択されているメッセージが各メンバーに提示される。従って、リーダー優先ルールが選択されている旨のメッセージが提示されるため、他のメンバーはよほどの理由がない限り、リーダー案を否定することはできず、通常は、リーダー案が承諾されることになる。
その他、別のリーダー優先案としては、リーダーから一時経由地の追加希望がなされた場合、リーダーに多数決のポイント数も多く与え、リーダーに有利な多数決にするルールや、リーダーから希望された一時経由地を他のメンバーの賛否を確認することなく一律追加設定するようにしてもよい。
調停ルール２については、一時経由地追加の目的に基づいて最寄りの施設が検索され、検索された施設で良いか各メンバーの意見を確認した上で、一時経由地を追加設定するルールと、一時経由地追加希望者が具体的な施設を検索し、幾つかのサンプルを提示するサンプル提示ルールとの内から選択設定することが可能とされる。ここでは、前者を選択するものとする。
調停ルール３については、一時経由地場所を設定する基準として、一時経由地追加希望者を基準とするルールと、最も先行している先頭車を基準とするルールとの中から選択設定可能とされる。ここでは、後者が選択され、経由地が先頭車よりも目的地進行方向に追加設定されるものとする。
【００５４】
以下、以上のようにして設定された調停ルールに従った一時経由地の設定方法について、図１１乃至図１４に基づき説明する。
ここでは、メンバーＢさん（自動車１ｂ）からトイレ休憩要求があり、２キロ先のコンビニエンスストア９８が一時経由地として追加設定される例を示す。
【００５５】
一時経由地を追加設定したい場合、まず、図１１に示すナビゲーション画面５２上の一時経由地設定アイコン９０に触れ、図１２に示す一時経由地設定画面１００を呼び出す。
次に、一時経由地設定画面１００の目的アイコン１０２に触れる。ここでは、上述のように、一時経由地追加設定の目的としてトイレ休憩を選択するものとする。
一時経由地追加設定の目的としてトイレ休憩が選択された場合、上述のように設定された調停ルール１に従えば、各メンバーの意見を確認することなく一時経由地追加設定が一律承諾される。
一時経由地追加設定の目的がトイレ休憩として選択されると、次に、設定された調停ルール２に従ってトイレ休憩場所が具体的に設定される。ここで、調停ルール２は、上述のように最寄りの一時経由地としての施設を検索し、検索された施設を各メンバーに提供し、各メンバーからの賛否情報に基づいて追加設定するルールが選択されているため、検索された施設として２キロ先のコンビニエンスストアが表示されている。
尚、施設アイコン１０４のサンプルに触れると、一時追加経由地追加希望者の車を中心とする半径所定距離以内の施設が検索、表示（図１２では不図示）され、一時追加経由地追加希望者がその提示された中から任意に選択することができる。
最後に、一時経由地検索画面１００の送信アイコン１０６に触れると、一時経由地追加情報が、情報センター１３の情報提供サーバ１３ａに送信される。
情報提供サーバ１３ａは、図１３に示すように、他のメンバーＡさんの自動車１ａ、Ｃさんの自動車１ｃの各ナビゲーション画面５２下方に、具体的なトイレ休憩メッセージとして提供するとともに、ナビゲーション画面５２上に一時経由地としてのコンビニエンスストア９８が追加表示される。
これに対し、メンバーＡさん、Ｃさんから承諾の回答が情報提供サーバ１３ａにされると、一時経由地としてコンビニエンスストア９８が設定される。
尚、いずれかのメンバーから変更要求があった場合は、音声会話アイコン９６に触れ、音声会話により適宜トイレ休憩場所が調整される。
【００５６】
以上のようにして、一時経由地が追加設定されると、図１４に示すように、設定結果画面８２には、自動車１ａ、１ｂ、及び１ｃの現在地、決定目的地８３、目的地の予定到着時間、経路８５、合流地８６ａ、８６ｂ、合流地の予定到着時間、経由地８４である昼食を取るレストランＡ、レストラン予定到着時刻、給油ポイント８８、今回追加設定された一時経由地としのコンビニエンスストア９８、及びコンビニエンスストア９８予定到着時刻が表示される。
各自動車１ａ、１ｂ及び１ｃの各誘導装置３ａ、３ｂ及び３ｃは、送信されたデータを受け、設定された決定目的地８３、経由地８４、経路８５、合流地８６ａ、８６ｂ及び一時経由地としてのコンビニエンスストア９８を改ためて誘導装置３ａ、３ｂ及び３ｃ内に設定し、そのデータに基づいて自動車１ａ、１ｂ、及び１ｃを誘導する。
【００５７】
以下、本発明に係わるナビゲーションシステムの目的地の設定までのステップについて、図１５のフローチャートに基づいて説明する。
図１５は、本発明に係わるナビゲーションシステムの目的地、経由地、経路、合流地設定までのステップを示すフローチャートである。
システムがスタートすると、ステップＳ１に進み、誘導装置３を用いてインターネット９を介して情報センター１３の情報提供サーバー１３ａにログインする。
次にステップＳ２に進み、車車間コミニュケーションを行なうメンバーのＩＤナンバーを登録する。
メンバーの登録後、ステップＳ３に進み、上述の個人設定モード、あるいは車車間コミニュケーションモードのいずれかにより決定目的地８３を調停ルールに従って設定する。
決定目的地８３が設定されると、ステップＳ４に進み、経由地８４、経路８５、及び合流地８６ａ、８６ｂを調停ルールに従って設定する。
経由地８４、経路８５、及び合流地８６ａ、８６ｂの設定が終了すると、ステップＳ５に進み、設定された決定目的地８３、経由地８４、経路８５、及び合流地８６ａ、８６ｂのデータが、各メンバーが乗車している自動車の各誘導装置に送信される。
最後にステップＳ６に進み、情報センター１３の情報提供サーバー１３ａからログオフし、システムが終了する。
【００５８】
次に、一時経由地の追加設定の処理について、図１６のフローチャートに基づいて説明する。
図１６のステップＳ１０において、自車、他車の現在位置、一時経由地追加希望情報の有無等の情報を読み込む。
続く、ステップＳ１１では、一時経由地追加希望情報があるか否か判定する。ステップＳ１１でＹＥＳと判定された時、ステップＳ１２に進み、上述した調停ルールに従って一時経由地を設定する。
続く、ステップＳ１３では、設定済みの決定目的地８３、経由地８４、経路８５、合流地８６ａ、８６ｂに加え今回追加設定された一時追加経由地９８のデータが、情報センター１３から各メンバーが乗車している各自動車１ａ、１ｂ、１ｃの各誘導装置３ａ、３ｂ、３ｃに送信し、リターンする。
【００５９】
従って、本実施形態によれば、以下のような作用・効果が得られる。
一時由地追加希望情報を受け付けた際、予め設定された調停ルールに従って一時経由地が設定されるため、調整時間の短縮化、調整の簡素化を図ることができる。
【００６０】
また、一時経由地を設定する際、地図上では目印にはならないような場所（例えば、道路脇の露店等）を一時経由地として設定するような場合、調停ルールでは必ずしも明確な一時経由地を設定できない場合であっても、各メンバーの音声会話によって一時経由地を設定することが可能とされるため、調停ルールによる決定が難しい一時経由地の追加設定が可能になる。
また、調停ルールとして、多数決ルールと、リーダー案優先ルールと、金額優先ルールとの内少なくとも二つのルールに従って一時経由地を追加設定することができる。
また、急病等緊急性が高い一時経由地追加希望情報がなされた場合、一時経由地を他のメンバーの意見を確認することなく強制的に追加設定することが可能に構成されているため、最寄りの病院等の一時経由地追加設定が速やかに行える。また、一時経由地追加希望情報の目的に応じて調停ルールが変更されるため、目的に応じた適切な一時経由地設定が行える。
また、急病等緊急性が高い一時経由地希望設定がなされた場合、目的に対応可能な施設を検索し、検索された施設が強制的に一時経由地として追加設定されるよう構成されるため、直ちに一時経由地が追加設定され、その一時経由地まで速やかに移動することができる。
また、目的地に最も近いメンバー、先頭車を基準に一時経由地が追加設定されるため、先頭者がＵターンすることのない一時経由地を追加設定することができる。
また、一時経由地追加希望情報の目的の緊急性が高い場合、一時経由地追加希望者を基準として一時経由地が設定されるため、一時経由地希望者が病院等の経由地まで移動する時間を短縮することができる。
【００６１】
尚、本実施形態では、移動端末として自動車の誘導装置３ａ、３ｂ、３ｃに適用する例を示したが、その他形態電話に適用するようにしてもよい。
例えば、複数のメンバーがそれぞれ異なる場所から歩いて同一の目的地まで移動する際、情報センター１３から各メンバーが携帯する携帯電話に対して誘導情報を提供し、各メンバーを目的地まで誘導するような場合であっても同様に本発明を適用することが可能である。
その他、本発明は上述の実施形態に限られるものではなく、その主旨の範囲を逸脱しない範囲で上述の実施形態を修正したものに適用可能である。
【図面の簡単な説明】
【図１】本発明に関わるナビゲーションシステムの全体構成図。
【図２】本発明に関わる誘導装置が自動車に実装された自動車システム構成図。
【図３】本発明に関わるナビゲーションシステムのディスプレィ表示例を示す図。
【図４】本発明に関わるナビゲーションシステムのディスプレィ表示例を示す図。
【図５】本発明に関わるナビゲーションシステムのディスプレィ表示例を示す図。
【図６】本発明に関わるナビゲーションシステムのディスプレィ表示例を示す図。
【図７】本発明に関わるナビゲーションシステムのディスプレィ表示例を示す図。
【図８】本発明に関わるナビゲーションシステムのディスプレィ表示例を示す図。
【図９】本発明に関わるナビゲーションシステムのディスプレィ表示例を示す図。
【図１０】本発明に関わるナビゲーションシステムのディスプレィ表示例を示す図。
【図１１】本発明に関わるナビゲーションシステムのディスプレィ表示例を示す図。
【図１２】本発明に関わるナビゲーションシステムのディスプレィ表示例を示す図。
【図１３】本発明に関わるナビゲーションシステムのディスプレィ表示例を示す図。
【図１４】本発明に関わるナビゲーションシステムのディスプレィ表示例を示す図。
【図１５】本発明に関わる目的地設定までのステップを示すフローチャート。
【図１６】本発明に関わる一時経由地追加設定の処理を示すフローチャート。
【符号の説明】
１ａ、１ｂ、１ｃ：自動車
３ａ、３ｂ、３ｃ：誘導装置（移動端末）
１１：交通情報センター
１３：情報センター
１３ａ：情報提供サーバ（ナビゲーション用コンピュータ）
５６：車車間コミュニケーション画面
６４：調停ルール設定画面
６４’：調停ルール設定画面
６８：候補目的地設定画面
８２：設定結果画面
９０：一時経由地設定アイコン
１００：一時経由地設定画面
１０６：送信アイコン
【図１】
2004163178.tif 000003
【図２】
2004163178.tif 000004
【図３】
2004163178.tif 000005
【図４】
2004163178.tif 000006
【図５】
2004163178.tif 000007
【図６】
2004163178.tif 000008
【図７】
2004163178.tif 000009
【図８】
2004163178.tif 000010
【図９】
2004163178.tif 000011
【図１０】
2004163178.tif 000012
【図１１】
2004163178.tif 000013
【図１２】
2004163178.tif 000014
【図１３】
2004163178.tif 000015
【図１４】
2004163178.tif 000016
【図１５】
2004163178.tif 000017
【図１６】
2004163178.tif 000018